(57)【要約】【課題】カレンダー形式のインタフェースを提供する電子フレーム及び電子フレームの動作方法を提供する。【解決手段】電子フレームに保存された１つ以上のイメージデータ及び１つ以上のイメージに関連する時刻情報に基づいてカレンダー形式のインタフェースを提供するためのデータが生成される。カレンダー形式のインタフェースは、少なくとも１つの月または少なくとも１つの週に該当する複数の日それぞれに対応する複数の領域を含み、複数の日の各日に対応する領域は、１つ以上のイメージのうち当該日に対応するイメージの情報を示す。【選択図】図４
2014038598.tif 000002
【特許請求の範囲】
【請求項１】
１つ以上のイメージデータを受信し、
前記１つ以上のイメージデータ及び前記１つ以上のイメージデータに含まれる１つ以上のイメージに関連する時刻情報に基づいてカレンダー形式のインタフェースを提供するためのデータを生成し、
前記カレンダー形式のインタフェースを提供するためのデータを用いて前記カレンダー形式のインタフェースを出力すること  を含み、
前記カレンダー形式のインタフェースは、少なくとも１つの月または少なくとも１つの週に該当する複数の日それぞれに対応する複数の領域を含み、
前記複数の日の各日に対応する領域は、前記１つ以上のイメージのうち前記日に対応するイメージの情報を示すことを特徴とする電子フレームの動作方法。
【請求項２】
前記１つ以上のイメージデータを受信することは、サーバから前記１つ以上のイメージを受信し、
前記１つ以上のイメージは、前記サーバの前記電子フレームのユーザアカウントに関連するイメージであることを特徴とする請求項１に記載の電子フレームの動作方法。
【請求項３】
前記イメージの情報は、前記イメージのサムネイルであることを特徴とする請求項１に記載の電子フレームの動作方法。
【請求項４】
前記カレンダー形式のインタフェースは、前記少なくとも１つの月が含まれる年の値及び前記少なくとも１つの月の値を表示し、前記複数の日それぞれを表示することを特徴とする請求項１に記載の電子フレームの動作方法。
【請求項５】
前記カレンダー形式のインタフェースは、前記複数の日のうち前記電子フレームのユーザによって選択された日に対応するイメージを出力するプレビュー領域をさらに含むことを特徴とする請求項１に記載の電子フレームの動作方法。
【請求項６】
前記日に対応するイメージは複数であることを特徴とする請求項１に記載の電子フレームの動作方法。
【請求項７】
前記電子フレームの前記複数の日に対応する複数の領域のうち１つの領域に対するユーザの選択を認識し、
前記選択された領域に対応するイメージを画面全体に出力すること
をさらに含むことを特徴とする請求項１に記載の電子フレームの動作方法。
【請求項８】
前記複数の領域は行列を構成し、
前記行列の行は前記少なくとも１つの月の週を示し、前記行列の列は曜日を示すことを特徴とする請求項１に記載の電子フレームの動作方法。
【請求項９】
前記複数の日のうち対応するイメージがない日に対応する領域は空白で表示されることを特徴とする請求項１に記載の電子フレームの動作方法。
【請求項１０】
請求項１から請求項９のいずれか１項に記載の方法を実行するプログラムを収録したコンピュータで読み出し可能な記録媒体。
【請求項１１】
１つ以上のイメージデータを受信する送受信部と、
前記１つ以上のイメージデータ及び前記１つ以上のイメージデータに含まれる１つ以上のイメージに関連する時刻情報に基づいてカレンダー形式のインタフェースを提供するためのデータを生成し、前記カレンダー形式のインタフェースを提供するためのデータを用いて前記カレンダー形式のインタフェースを出力する処理部と、
を備え、
前記カレンダー形式のインタフェースは、少なくとも１つの月または少なくとも１つの週に該当する複数の日それぞれに対応する複数の領域を含み、
前記複数の日の各日に対応する領域は、前記１つ以上のイメージのうち前記日に対応するイメージの情報を示すことを特徴とする電子フレーム。
【請求項１２】
前記送受信部はサーバから前記１つ以上のイメージを受信し、
前記１つ以上のイメージは、前記サーバの前記電子フレームのユーザアカウントに関連するイメージであることを特徴とする請求項１１に記載の電子フレーム。
【請求項１３】
前記イメージの情報は前記イメージのサムネイルであることを特徴とする請求項１１に記載の電子フレーム。
【請求項１４】
前記カレンダー形式のインタフェースは、前記少なくとも１つの月が含まれる年の値及び前記少なくとも１つの月の値を表示し、前記複数の日それぞれを表示することを特徴とする請求項１１に記載の電子フレーム。
【請求項１５】
前記カレンダー形式のインタフェースは、前記複数の日のうち前記電子フレームのユーザによって選択された日に対応するイメージを出力するプレビュー領域をさらに含むことを特徴とする請求項１１に記載の電子フレーム。
【請求項１６】
前記日に対応するイメージは複数であることを特徴とする請求項１１に記載の電子フレーム。
【請求項１７】
前記処理部は、前記電子フレームの前記複数の日に対応する複数の領域のうち１つの領域に対するユーザの選択を認識し、前記選択された領域に対応するイメージを画面全体に出力することを特徴とする請求項１１に記載の電子フレーム。
【請求項１８】
前記複数の領域は行列を構成し、
前記行列の行は前記少なくとも１つの月の週を示し、前記行列の列は曜日を示すことを特徴とする請求項１１に記載の電子フレーム。
【請求項１９】
前記複数の日のうち対応するイメージがない日に対応する領域は空白で表示されることを特徴とする請求項１１に記載の電子フレーム。
【発明の詳細な説明】
【技術分野】
【０００１】
本発明は、電子フレーム及び電子フレームの動作方法に関し、より詳細には、カレンダー形式のインタフェースを提供する電子フレーム及び電子フレームの動作方法に関する。
【背景技術】
【０００２】
一般的に電子フレーム（ｄｉｇｉｔａｌ  ｐｈｏｔｏ  ｆｒａｍｅ）は、デジタルカメラまたは携帯電話などによって撮影されたイメージデータまたはコンピュータなどに保存されたイメージを液晶クリスタルディスプレイ（Ｌｉｑｕｉｄ  Ｃｒｙｓｔａｌ  Ｄｉｓｐｌａｙ：ＬＣＤ）などにディスプレイする装置を意味する。
【０００３】
電子フレームは、解像度及びカラーなどのようなイメージ属性にかかわらず、写真のフレームまたはアルバムの機能を提供してもよい。
【０００４】
電子フレームは、コンパクトフラッシュ（ｃｏｍｐａｃｔ  ｆｌａｓｈ）（登録商標）及びセキュアデジタル（Ｓｅｃｕｒｅ  Ｄｉｇｉｔａｌ；ＳＤ）などのメモリカードからイメージデータを読み出してもよい。また、電子フレームは、インターネットなどのような有線又は無線のネットワークによってイメージデータを送信してもよい。電子フレームは、読出または受信したイメージデータを用いてイメージを出力してもよい。
【０００５】
電子フレームは、出力するイメージを設定、変更及び選択するための便利かつ直観的なインタフェースをユーザに提供する必要がある。
【先行技術文献】
【特許文献】
【０００６】
【特許文献１】韓国公開特許第１０−２００６−００６８３６６号公報
【発明の概要】
【発明が解決しようとする課題】
【０００７】
本発明の一実施形態の目的は、カレンダー形式のインタフェースを含む電子フレームを提供することにある。
【０００８】
本発明の一実施形態の他の目的は、少なくとも１つの月または少なくとも１つの週に該当する複数の日それぞれに対応する複数の領域を表示する電子フレームを提供することにある。
【課題を解決するための手段】
【０００９】
本発明の一実施形態は、１つ以上のイメージデータを受信し、１つ以上のイメージデータ及び１つ以上のイメージに関連する時刻情報に基づいてカレンダー形式のインタフェースを提供するためのデータを生成し、カレンダー形式のインタフェースを提供するためのデータを用いてカレンダー形式のインタフェースを出力することを含み、カレンダー形式のインタフェースは、少なくとも１つの月または少なくとも１つの週に該当する複数の日それぞれに対応する複数の領域を含み、複数の日の各日に対応する領域は、１つ以上のイメージのうち当該日に対応するイメージの情報を示す電子フレームの動作方法を提供する。
【００１０】
受信することは、サーバから１つ以上のイメージを受信することを含み、１つ以上のイメージは、サーバの電子フレームのユーザアカウントに関連するイメージであってもよい。
【００１１】
イメージの情報は、イメージのサムネイルであってもよい。
【００１２】
カレンダー形式のインタフェースは、少なくとも１つの月が含まれる年の値及び少なくとも１つの月の値を表示し、複数の日それぞれを表示してもよい。
【００１３】
カレンダー形式のインタフェースは、複数の日のうち電子フレームのユーザによって選択された日に対応するイメージを出力するプレビュー領域をさらに含んでもよい。
【００１４】
日に対応するイメージは複数であってもよい。
【００１５】
電子フレームの動作方法は、電子フレームのユーザによる複数の日に対応する複数の領域のうち１つの領域に対する選択を認識し、選択された領域に対応するイメージを画面全体に出力することをさらに含んでもよい。
【００１６】
複数の領域は行列を構成してもよい。
【００１７】
行列の行は少なくとも１つの月の週を示し、行列の列は曜日を示してもよい。
【００１８】
複数の日のうち対応するイメージがない日に対応する領域は空白で表示されてもよい。
【００１９】
本発明の他の一実施形態は、１つ以上のイメージデータを受信する送受信部と、１つ以上のイメージデータ及び１つ以上のイメージに関連する時刻情報に基づいてカレンダー形式のインタフェースを提供するためのデータを生成し、カレンダー形式のインタフェースを提供するためのデータを用いてカレンダー形式のインタフェースを出力する処理部とを備え、カレンダー形式のインタフェースは、少なくとも１つの月または少なくとも１つの週に該当する複数の日それぞれに対応する複数の領域を含み、複数の日の各日に対応する領域は、１つ以上のイメージのうち当該日に対応するイメージの情報を示す電子フレームを提供する。
【００２０】
送受信部はサーバから１つ以上のイメージを受信してもよい。
【００２１】
１つ以上のイメージは、サーバの電子フレームのユーザアカウントに関連するイメージであってもよい。
【００２２】
処理部は、電子フレームの複数の日に対応する複数の領域のうち１つの領域に対するユーザによる選択を認識し、選択された領域に対応するイメージを画面全体に出力してもよい。
【発明の効果】
【００２３】
本発明によると、少なくとも１つの月または少なくとも１つの週に該当する複数の日それぞれに対応する複数の領域を表示する電子フレームが提供される。複数の領域はそれぞれ特定の日に対応するイメージ情報を示すことができる。
【００２４】
本発明によると、電子フレームのユーザは複数の領域によって１つの画面内で各日に対応するイメージが存在するか否かを容易に把握することができ、特定の月または特定の週の日に対応するイメージの全てまたは一部を認識することができる。
【００２５】
本発明によると、電子フレーム内に保存されたイメージの情報がカレンダー形式のインタフェースを介して提供されることによって、電子フレームのユーザは電子フレームを容易に操作することができる。
【図面の簡単な説明】
【００２６】
【図１】本発明の一実施形態に係る電子フレームサービスシステムの構造図である。
【図２】本発明の一実施形態に係る電子フレームのブロック図である。
【図３】本発明の一実施形態に係る電子フレームの動作方法のフローチャートである。
【図４】本発明の一実施形態に係るカレンダー形式のインタフェースを示す図である。
【図５】本発明の一実施形態に係るイメージの情報を生成する方法を説明する図である。
【発明を実施するための形態】
【００２７】
以下、添付の図面を参照しながら本発明の実施形態を詳細に説明する。各図面に示された同一の参照符号は同一の部材を示す。
【００２８】
以下、イメージデータはイメージのファイル及びイメージの情報を示し、「データ」、「ファイル」、及び「情報」という用語は相互に交換して用いられてもよい。
【００２９】
図１は、本発明の一実施形態に係る電子フレームサービスシステムの構造図である。
【００３０】
電子フレームサービスシステム１００は電子フレーム１４０を含んでもよく、イメージ撮影装置１１０、サーバ１２０及びメモリカード１３０のうち１つ以上を含んでもよい。
【００３１】
イメージ撮影装置１１０はイメージデータを生成する装置である。イメージ撮影装置１１０は、カメラを用いて被写体を撮影することによって被写体を示すイメージデータを生成してもよい。
【００３２】
イメージ撮影装置１１０は、生成されたイメージデータをサーバ１２０に送信してメモリ装置１２０内に保存してもよく、電子フレーム１４０に送信してもよい。
【００３３】
イメージ撮影装置１１０は、デジタルカメラ、ビデオカメラ、モバイルフォン及びスマートフォンなどを含んでもよい。
【００３４】
サーバ１２０は、有線又は無線のネットワークを介して電子フレーム１４０にイメージデータを送信する。サーバ１２０内に保存されたイメージデータはイメージ撮影装置１１０から送信されたものであってもよく、サーバ１２０に接続された他のコンピュータから送信されたものであってもよい。
【００３５】
サーバ１２０は複数のユーザアカウントを管理する。複数のユーザは、電子フレーム１４０のユーザを含んでもよい。サーバ１２０は、電子フレーム１４０のユーザのイメージデータを電子フレーム１４０に送信してもよい。ユーザのイメージは、サーバ１２０の電子フレーム１４０のユーザアカウントに関連するイメージであってもよい。
【００３６】
サーバ１２０は、クラウドサービスを提供する複数のクラウドサーバであってもよい。サーバ１２０のイメージデータは、電子フレーム１４０のユーザアカウントにアップロードされたイメージデータであってもよい。サーバ１２０は、ウェブ（ｗｅｂ）などによってイメージ撮影装置１１０がサーバ１２０にイメージデータをアップロードすることのできるインタフェースを提供してもよく、電子フレーム１４０がイメージデータをダウンロードすることのできるインタフェースを提供してもよい。
【００３７】
メモリカード１３０は、イメージ撮影装置１１０によって生成されたイメージデータを保存してもよい。メモリカード１３０は、イメージ撮影装置１１０または電子フレーム１４０内に装着されてもよい。メモリカード１３０が装着されたイメージ撮影装置１１０または電子フレーム１４０は、メモリカード１３０からイメージデータを読み出してもよい。
【００３８】
電子フレーム１４０は、イメージ撮影装置１１０及びサーバ１２０からイメージデータを受信してもよい。電子フレーム１４０は、電子フレーム１４０内に装着されたメモリカード１３０からイメージデータを読み出してもよい。
【００３９】
電子フレーム１４０はイメージデータを用いてイメージを出力してもよい。
【００４０】
電子フレーム１４０の構造については図２を参照して下記で詳細に説明する。
【００４１】
前述のイメージは１つ以上であってもよい。
【００４２】
図２は、本発明の一実施形態に係る電子フレームのブロック図である。
【００４３】
電子フレーム１４０は、送受信部２１０、メモリカードスロット２２０、処理部２３０、保存部２４０、入力部２５０及び出力部２６０を備える。電子フレーム１４０はディスプレイ２７０をさらに備えてもよい。
【００４４】
送受信部２１０は、有線又は無線のネットワークを介してイメージ撮影装置１１０及びサーバ１２０からイメージデータを受信してもよい。また、送受信部２１０は、イメージ撮影装置１１０及びサーバ１２０とデータを送受信してもよい。
【００４５】
送受信部２１０は、ネットワークインタフェースカード、ネットワークインタフェースチップ及びネットワーキングインタフェースポートなどのようなハードウェアモジュールであってもよく、ネットワークデバイスドライバまたはネットワーキングプログラムのようなソフトウェアモジュールであってもよい。
【００４６】
送受信部２１０は、受信したイメージデータを処理部２３０に送信してもよい。
【００４７】
メモリカードスロット２２０は、メモリカード１３０からイメージデータを読み出してもよい。
【００４８】
メモリカード１３０は、メモリカードスロット２２０内に装着されてもよい。メモリカードスロット２２０は、コンパクトフラッシュ及びセキュアデジタルなどのような特定のメモリカードの規格に適するスロットであってもよい。
【００４９】
メモリカード１３０は、読み出したイメージデータを処理部２３０に送信してもよい。
【００５０】
処理部２３０は、少なくとも１つのプロセッサまたはプロセッサ内の少なくとも１つのコア（ｃｏｒｅ）であってもよい。処理部２３０は、電子フレーム１４０の機能を提供するために必要な動作を行う。ここで、動作の実行とは、保存部２４０内に保存されたプログラムコードを実行することを意味する。
【００５１】
保存部２４０はイメージデータを保存する。処理部２３０は、処理部２３０に送信されたイメージデータを保存部２４０内に保存してもよい。また、保存部２４０は、動画、電子フレーム１４０の設定に関連する情報及び電子フレーム１４０の動作に関連する情報を保存してもよい。
【００５２】
保存部２４０は、ハードディスクドライブ（Ｈａｒｄ  Ｄｉｓｋ  Ｄｒｉｖｅ；ＨＤＤ）、ソリッドステートドライブ（Ｓｏｌｉｄ  Ｓｔａｔｅ  Ｄｒｉｖｅ；ＳＳＤ）、ＲＡＭ（Ｒａｎｄｏｍ  Ａｃｃｅｓｓ  Ｍｅｍｏｒｙ；ＲＡＭ）及びフラッシュメモリなどのようなデータの保存のためのハードウェアモジュールであってもよく、データベース、ファイルシステム、及びテーブルなどのようなデータ保存のためのソフトウェアモジュールであってもよい。
【００５３】
入力部２５０は、電子フレーム１４０を制御するためのユーザ入力を受信する。ここで、ユーザは、電子フレーム１４０が出力するイメージの視聴者であってもよい。
【００５４】
入力部２５０は、電子フレーム１４０に接着されたボタンまたはタッチスクリーンであり、キーボード、マウス及びリモコンなどのような有線又は無線の入力装置であってもよく、ブルートゥースドングル（ｄｏｎｇｌｅ）及び赤外線（ＩｎｆｒａＲｅｄ；ＩＲ）受信機などのようなネットワークの受信装置であってもよい。
【００５５】
出力部２６０は、イメージを表示するためのデータまたは情報を出力する。
【００５６】
出力部２６０は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）ポート、ディスプレイ（ｄｉｓｐｌａｙ）ポート及びデジタルビジュアルインタフェース（Ｄｉｇｉｔａｌ  Ｖｉｓｕａｌ  Ｉｎｔｅｒｆａｃｅ；ＤＶＩ）などのようなイメージを表示するための情報を出力するポートであってもよい。または、出力部２６０は、ビデオカード及びビデオチップのようなイメージを表示するための情報を出力するハードウェアモジュールであってもよい。
【００５７】
ディスプレイ２７０は、イメージを表示するためのデータを用いてイメージを表示する。ディスプレイ２７０は、モニター、液晶（Ｌｉｑｕｉｄ  Ｃｒｙｓｔａｌ  Ｄｉｓｐｌａｙ；ＬＣＤ）、発光ダイオード（Ｌｉｇｈｔ  Ｅｍｉｔｔｉｎｇ  Ｄｉｏｄｅ；ＬＥＤ）及び有機発光ダイオード（Ｏｒｇａｎｉｃ  Ｌｉｇｈｔ  Ｅｍｉｔｔｉｎｇ  Ｄｉｏｄｅ；ＯＬＥＤ）などのようなイメージを表示するハードウェアモジュールであってもよい。
【００５８】
ディスプレイ２７０は電子フレーム１４０内に内蔵されてもよく、有線又は無線のネットワーク及びケーブルなどによって電子フレーム１４０と接続されてもよい。
【００５９】
図３は、本発明の一実施形態に係る電子フレームの動作方法のフローチャートである。
【００６０】
ステップＳ３１０において、送受信部２１０は、イメージ撮影装置１１０及びサーバ１２０から１つ以上のイメージデータを受信する。また、送受信部２１０は、イメージ撮影装置１１０及びサーバ１２０から１つ以上のイメージのメタデータを受信してもよい。１つ以上のイメージデータ及びメタデータは、同時または別個に受信されてもよい。
【００６１】
イメージのメタデータはイメージに関連する時刻情報を含んでもよい。
【００６２】
時刻情報は、年、月、日、時、分及び秒のうち１つ以上を示す情報であってもよい。イメージに関連する時刻情報は、イメージが撮影された時刻に関する情報、イメージが生成された時刻に関する情報、イメージが保存された時刻に関する情報、イメージが送信された時刻に関する情報、及びイメージが変更された時刻に関する情報のうち１つ以上であってもよい。
【００６３】
イメージデータは、ＴＩＦＦ（Ｔａｇｇｅｄ  Ｉｍａｇｅ  Ｆｉｌｅ  Ｆｏｒｍａｔ）フォーマット、ＢＭＰ（Ｍｉｃｒｏｓｏｆｔ  Ｗｉｎｄｏｗｓ  Ｂｉｔｍａｐ  Ｉｍａｇｅ）フォーマット、ＰＮＧ（Ｐｏｒｔａｂｌｅ  Ｎｅｔｗｏｒｋ  Ｇｒａｐｈｉｃｓ）フォーマット、ＪＰＥＧ（Ｊｏｉｎｔ  Ｐｈｏｔｏｇｒａｐｈｉｃ  Ｅｘｐｅｒｔｓ  Ｇｒｏｕｐ）フォーマットなどのような特定のフォーマットを有するイメージファイルであってもよい。イメージの時刻情報は、イメージのメタデータとしてイメージファイル内に含まれてもよい。また、イメージデータがイメージに関連する時刻情報を含んでもよい。
【００６４】
１つ以上のイメージをサーバ１２０から受信する場合、１つ以上のイメージはサーバ１２０の電子フレーム１４０のユーザアカウントに関連するイメージであってもよい。
【００６５】
ステップＳ３１５において、メモリカードスロット２２０はメモリカード１３０から１つ以上のイメージデータを読み出す。また、メモリカードスロット２２０は、メモリカード１３０から１つ以上のイメージのメタデータを読み出してもよい。ステップＳ３１０で前述したイメージデータ及びメタデータに対する説明は、ステップＳ３１５にも妥当する。以下、重複する説明は省略する。
【００６６】
ステップＳ３２０において、入力部２５０は、ユーザが電子フレーム１４０の提供する１つ以上のメニューのうち、カレンダー形式のインタフェースを提供するメニューを選択したことを示す信号を受信する。処理部２３０は、入力部２５０が受信した信号によって、電子フレーム１４０が提供する１つ以上のメニューのうち、カレンダー形式のインタフェースを提供するメニューを電子フレーム１４０のユーザが選択したことを認識する。
【００６７】
ステップＳ３３０において、処理部２３０は、１つ以上のイメージデータ及び１つ以上のイメージに関連する時刻情報に基づいてカレンダー形式のインタフェースを提供するためのデータを生成する。
【００６８】
カレンダー形式のインタフェースを提供するためのデータは、カレンダー形式のインタフェースを提供するカレンダーオブジェクトであってもよい。カレンダーオブジェクトは、１つ以上のイメージデータに基づいて生成された情報をカレンダー形式で示すグラフィックユーザインタフェース（Ｇｒａｐｈｉｃ  Ｕｓｅｒ  Ｉｎｔｅｒｆａｃｅ；ＧＵＩ）オブジェクトであってもよい。また、カレンダーオブジェクトは、１つ以上のイメージに関する情報をカレンダー形式で示すＧＵＩオブジェクトであってもよい。
【００６９】
カレンダー形式のインタフェースは、少なくとも１つの月（ｍｏｎｔｈ）または少なくとも１つの週（ｗｅｅｋ）に該当する複数の日（ｄａｙ）それぞれに対応する複数の領域を含んでもよい。以下、カレンダー形式のインタフェースが示す少なくとも１つの月及び少なくとも１つの週をそれぞれ対象月及び対象週と称する。例えば、対象月が３１個の日を有する場合、カレンダー形式のインタフェースは３１個の日それぞれに対応する３１個の領域を含んでもよい。または、カレンダー形式のインタフェースは対象週の７個の日それぞれに対応する７個の領域を含んでもよい。
【００７０】
複数の日の各日に対応する領域は、１つ以上のイメージのうち当該日に対応するイメージの情報を示す。ここで、イメージが特定の日に対応するということは、イメージが撮影された日、イメージが生成された日、イメージが保存された日、イメージが送信された日、及びイメージが変更された日の１つまたは１つ以上が特定の日であることを意味する。処理部２３０は、イメージの時刻情報を用いてイメージと特定の日との間の対応関係を決定してもよい。
【００７１】
イメージ情報は、イメージ、イメージのサムネイル（ｔｈｕｍｂｎａｉｌ）及び大きさが調整されたイメージのうち１つ以上であってもよい。イメージの情報は、電子フレーム１４０のユーザにとってイメージを識別可能にする情報であってもよい。処理部２３０は、イメージに様々なグラフィック効果を適用することによってイメージの情報を生成してもよい。様々なグラフィック効果は、大きさの調整、白黒化、セピア（ｓｅｐｉａ）効果、及びブラー（ｂｌｕｒ）などを含んでもよい。
【００７２】
ステップＳ３４０において、処理部２３０は、出力部２６０によってカレンダー形式のインタフェースを提供するためのデータを用いてカレンダー形式のインタフェースを出力する。
【００７３】
ステップＳ３４５において、ディスプレイ２７０は、出力部２６０によって出力されたカレンダー形式のインタフェースを表示する。
【００７４】
ステップＳ３５０において、入力部２５０は、電子フレーム１４０のユーザが複数の日に対応する複数の領域のうち１つの領域を選択したことを示す信号を受信してもよい。電子フレーム１４０のユーザは、タッチスクリーン、ボタン及びマウスなどのような入力装置を用いることによって、ディスプレイ２７０に出力された複数の日に対応する複数の領域のうちの１つの領域を選択してもよい。例えば、１つの領域を選択することはマウスのカーソル（ｃｕｒｓｏｒ）を用いて１つの領域を選択してもよく、タッチスクリーンを用いてディスプレイに出力された１つの領域をタッチしてもよい。
【００７５】
処理部２３０は、入力部２５０が受信した信号によって電子フレーム１４０のユーザが複数の日に対応する複数の領域のうち１つの領域を選択したことを認識してもよい。
【００７６】
ステップＳ３６０において、処理部２３０は、出力部２６０によって選択された領域に対応するイメージのプレビュー（ｐｒｅｖｉｅｗ）を出力する。
【００７７】
イメージのプレビューは、縮小されたイメージまたはイメージの一部であってもよい。
【００７８】
ステップＳ３６５において、処理部２３０は、出力部２６０によって選択された領域に対応するイメージを画面全体に出力する。
【００７９】
フローチャートで示すように、ステップＳ３５０が行われた後にステップＳ３６０またはステップＳ３６５が行われてもよい。または、ステップＳ３６０及びステップＳ３６５が順次行われてもよい。
【００８０】
前述のステップＳ３１０からステップＳ３６５は、繰り返し行われてもよい。また、前述のステップＳ３１０からステップＳ３６５は表示されたものと異なる順に行われてもよく、同時に行われてもよい。
【００８１】
図４は、本発明の一実施例に係るカレンダー形式のインタフェースを示す。
【００８２】
カレンダー形式のインタフェース４００は、年月表示部４１０、週ラベル４２０、日表示部４３０及びプレビュー領域４６０を含んでもよい。
【００８３】
年月表示部４１０は、図３を参照して前述のステップＳ３３０で説明した対象月または対象週が含まれる年の値を表示してもよく、対象月の値または対象週の値を表示してもよい。以下、対象月または対象週が含まれる年を対象年と称する。
【００８４】
年月表示部４１０は、対象年表示部４１２、対象月表示部４１４、対象月減少部４１６及び対象月増加部４１８を含んでもよい。
【００８５】
対象年表示部４１２は対象年の値を表示する。対象月表示部４１４は対象月の値を表示する。図４において、対象年及び対象月として２０１２年３月が例示されている。
【００８６】
ユーザが対象月減少部４１６を選択すると、対象月は対象月の直前の月に変更される。対象月が１月である場合、対象月の直前の月は１年前の１２月である。ユーザが対象月増加部４１８を選択すると、対象月は対象月の直後の月に変更される。対象月が１２月である場合、対象月の直後の月は１年後の１月である。
【００８７】
ユーザが対象月減少部４１６または対象月増加部４１８を選択することは、ユーザがマウスを用いて対象月減少部４１６または対象月増加部４１８をクリックしたり、タッチスクリーンに表示された対象月減少部４１６または対象月増加部４１８をタッチしたりすることである。
【００８８】
年月表示部４１０は、選択されると対象年を１年だけ減少させる対象年減少部（図示せず）及び選択されると対象年を１年だけ増加させる対象年増加部（図示せず）をさらに含んでもよい。
【００８９】
週ラベル４２０は、週ラベルの下に位置する日表示部４３０内の各領域がどの曜日に該当するかを時系列に示してもよい。週ラベル４２０は日曜日から土曜日までをそれぞれ示す７個のラベルを含んでもよい。
【００９０】
日表示部４３０は、対象月または対象週に該当する複数の日それぞれに対応する複数の領域を含んでもよい。図４において、２０１２年３月に該当する１日から３１日それぞれに対応する３１個の領域を表示した。
【００９１】
日表示部４３０内の複数の領域は行列を構成してもよい。行列の行は対象月の週を示す。行列の列は曜日を示す。対象月の複数の日がどの曜日であるかに応じて、行列の最初の領域及び最後の領域は特定の日に対応しない空の領域であってもよい。
【００９２】
日表示部４３０内の各領域は、対応する日を数字または記号を用いて示す日識別部、領域に対応するイメージの情報を示すイメージ情報表示部、及び領域に対応する日の情報を表示する日情報表示部を含んでもよい。領域に対応するイメージは領域に対応する日に対応するイメージであってもよい。
【００９３】
日の情報は、日が休日、祝日または記念日のような特別な日であることを示す情報であってもよい。
【００９４】
日識別部は１から３１までの数字を有してもよい。日識別部は、数字のカラー、数字の太さ、または数字の傾きなどを用いて休日及び祝日などのような休みの日を平日と区別してもよい。例えば、日識別部は休日を赤色文字で、平日を黒色文字で示してもよく、休日を太い文字で、平日を普通の文字で示してもよい。
【００９５】
日に対応するイメージは、電子フレーム１４０が受信または読み出した１つ以上のイメージのうち日に対応する時刻情報を有するイメージであってもよい。すなわち、特定の日に対応するイメージは、当該日に撮影、生成、保存、送信または変更されたイメージであってもよい。また、特定の領域に対応するイメージは、前記の特定の領域に対応する日に撮影、生成、保存、送信または変更されたイメージであってもよい。
【００９６】
複数の領域のうち対応するイメージがない領域は、空白、予め設定されたカラー、予め設定された模様または予め設定された記号のうち１つを用いて表示されてもよい。すなわち、複数の日のうち対応するイメージがない日に対応する領域は予め空白、予め設定されたカラー、予め設定された模様、または予め設定された記号などのような予め設定された形式で表示されてもよい。
【００９７】
日に対応するイメージは複数であってもよい。
【００９８】
イメージの情報はイメージのサムネイルであってもよい。イメージのサムネイルは、イメージを予め設定された大きさに縮小したイメージであってもよい。処理部は、イメージデータを用いてイメージを予め設定された大きさに縮小し、縮小の前後にイメージにグラフィック効果を適用することでイメージの情報を生成してもよい。イメージの情報を生成する方法の一例について図５を参照して詳細に説明する。
【００９９】
日識別部、イメージ情報表示部及び日情報表示部は重ねて表示されてもよい。例えば、イメージ情報表示部は背景として、日識別部及び日情報表示部は前景として表示されてもよい。
【０１００】
図４に、２０１２年３月１日に対応する第１領域４４０及び２０１２年３月３日に対応する第２領域４５０が例示的に示されている。
【０１０１】
第１領域４４０は第１日識別部４４２、第１イメージ情報表示部４４４及び第１日情報表示部４４６を含んでもよい。第１日識別部４４２は、第１領域４４０が２０１２年３月１日を示すことを電子フレーム１４０のユーザが認識できるようにするため、数字１を表示してもよい。第１イメージ情報表示部４４４は、１つ以上のイメージのうち２０１２年３月１日に対応するイメージの情報を表示してもよい。第１日情報表示部４４６は、２０１２年３月１日に関する情報として、２０１２年３月１日が３．１節であることを示す。
【０１０２】
第２領域４５０は、第２日識別部４５２及び第２イメージ情報表示部４５４を含んでもよい。第２領域４５０に対応する２０１２年３月３日は特別な祝日または記念日でなくてもよく、第２領域４５０は日情報表示部を有さなくてもよい。
【０１０３】
図３に示すステップＳ３５０を参照して前述したように、複数の日に対応する複数の領域のうち１つの領域がユーザによって選択されてもよい。選択領域表示部４５８は、複数の領域のうち選択された領域がどのような領域であるかを表示する。選択領域表示部４５８は、選択された領域を囲む枠であってもよい。図４において、２０１２年３月３日または２０１２年３月３日に対応する領域がユーザによって選択されたことが示されている。
【０１０４】
プレビュー領域４６０は、複数の日のうち電子フレーム１４０のユーザによって選択された日に対応するイメージを出力してもよい。
【０１０５】
プレビュー領域４６０は、プレビューイメージ表示部４６２、プレビューイメージ情報表示部４６４、前のプレビューイメージ選択部４６６及び次のプレビューイメージ選択部４６８を含んでもよい。
【０１０６】
プレビューイメージ表示部４６２は、選択されたプレビューイメージを出力してもよい。選択されたプレビューイメージは、選択された日に対応するイメージであってもよい。
【０１０７】
プレビューイメージ情報表示部４６４は、選択されたプレビューイメージに関する情報を含んでもよい。選択されたプレビューイメージに関する情報は、選択された日に対応するイメージのメタデータであってもよい。例えば、選択されたプレビューイメージに関する情報は、（１）選択された日に対応するイメージの名称及び説明を含んでもよく、（２）選択された日に対応するイメージが撮影または生成された場所に対する説明を含んでもよく、（３）選択された日に対応するイメージが撮影または生成された時刻に対する説明を含んでもよい。
【０１０８】
プレビューイメージが複数である場合、前のプレビューイメージ選択部４６６及び次のプレビューイメージ選択部４６８によって複数のプレビューイメージのうちプレビューイメージ表示部４６２から出力されるプレビューイメージが選択されてもよい。ユーザによって前のプレビューイメージ選択部４６６が選択されると、現在出力されているプレビューイメージの前のプレビューイメージが新しく出力されるプレビューイメージとして選択されてもよい。ユーザによって次のプレビューイメージ選択部４６８が選択されると、現在出力されているプレビューイメージの次のプレビューイメージが新しく出力されるプレビューイメージとして選択されてもよい。
【０１０９】
前述のカレンダー形式のインタフェース４００によって電子フレーム１４０内に保存された１つ以上のイメージは、日に応じて整列されてもよい。電子フレーム１４０のユーザは、カレンダー形式のインタフェース４００によって日に関連するイメージを直観的かつ容易に認識することができる。
【０１１０】
図５は、本発明の一実施例においてイメージの情報を生成する方法を説明する。
【０１１１】
図５において、日に対応する第３領域５１０、第３領域５１０の日識別部である第３日識別部５１２、及び第３領域５１０のイメージ情報表示部である第３イメージ情報表示部５１４を示す。
【０１１２】
図４を参照して説明したように、１つの領域または領域が示す日に対応するイメージは複数であってもよい。図５に示すように、第３領域５１０に対応する複数のイメージ５２０が示されている。複数のイメージとして、第１イメージ５２２、第２イメージ５２４及び第３イメージ５２６を示した。
【０１１３】
第３イメージ情報表示部５１４が示すイメージの情報はイメージのサムネイルであってもよい。ここで、イメージの情報は、以下で説明する方法によって生成されてもよい。
【０１１４】
第１サムネイル５３０は、日に対応する複数のイメージ５２０のうち、最も前に位置するイメージのサムネイルであってもよい。処理部２３０は、日に対応する複数のイメージ５２０のうち最も前に位置するイメージデータを用いて日に対応する領域に表示されるイメージの情報を生成してもよい。
【０１１５】
処理部２３０は複数のイメージ５２０の時刻情報、大きさ、解像度、画質及びファイル名などのような様々な基準を用いて複数のイメージ５２０間の順序を決定してもよい。図３を参照して前述したように、時刻情報は、イメージが撮影された時刻に関する情報、イメージが生成された時刻に関する情報、イメージが保存された時刻に関する情報、イメージが送信された時刻に関する情報、及びイメージが変更された時刻に関する情報のうち１つ以上であってもよい
【０１１６】
第２サムネイル５４０は、日に対応する複数のイメージ５２０を重ねることによって生成されたサムネイルである。処理部２３０は、日に対応する複数のイメージ５２０のデータを用いて複数のイメージ５２０を重ねることによってイメージの情報を生成する。処理部２３０は、複数のイメージ５２０の重複において複数のイメージ５２０それぞれに互いに異なる加重値を適用してもよい。例えば、処理部２３０は、複数のイメージ５２０のうち、より前に位置するイメージに高い加重値を付与してもよく、より後に位置するイメージに低い加重値を付与してもよい。
【０１１７】
複数のイメージの重複は、複数のイメージ内の対応するピクセルのカラー値の加重値が付与された平均値を用いてイメージを生成することを意味する。
【０１１８】
第３サムネイル５５０は、日に対応する複数のイメージ５２０のうち任意に選択されたイメージのサムネイルである。また、第３サムネイル５５０は、複数のイメージ５２０の個数を示す情報５５５を含んでもよい。図５において、３つのサムネイルを示す模様は１つの領域または領域が示す日に対応するイメージが３つであることを示す。処理部２３０は、複数のイメージ５２０のうち任意に選択されたイメージデータを用いてイメージの情報を生成してもよい。イメージの情報は、１つの領域または領域が示す日に対応するイメージの個数を示す。
【０１１９】
以上で説明した装置は、ハードウェア構成要素、ソフトウェア構成要素、及び／またはハードウェア構成要素及びソフトウェア構成要素の組み合わせで実現されてもよい。例えば、発明の実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または、命令（ｉｎｓｔｒｕｃｔｉｏｎ）を実行して応答することのできる異なる装置のような、１つ以上の汎用コンピュータまたは特定目的のコンピュータを用いて実現されてもよい。処理装置は、オペレーティングシステム（ＯＳ）及び前記オペレーティングシステム上で行われる１つ以上のソフトウェアアプリケーションを行ってもよい。また、処理装置はソフトウェアの実行に応答し、データ対してアクセス、保存、操作、処理及び生成のような動作をしてもよい。本発明を理解しやすくするために、処理装置は１つだけ用いられるものと説明する場合もあるが、当該技術分野において通常の知識を有する者であれば、処理装置が複数の処理要素（ｐｒｏｃｅｓｓｉｎｇ  ｅｌｅｍｅｎｔ）及び／または複数の種類の処理要素を含んでいることが分かる。例えば、処理装置は複数のプロセッサまたは１つのプロセッサ及び１つのコントローラを含んでもよい。また、並列プロセッサ（ｐａｒａｌｌｅｌ  ｐｒｏｃｅｓｓｏｒ）のような他の処理構成（ｐｒｏｃｅｓｓｉｎｇ  ｃｏｎｆｉｇｕｒａｔｉｏｎ）も可能である。
【０１２０】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、または、このうちの１つ以上の組み合わせを含んでもよく、希望の通りに動作するように処理装置を構成したり独立にまたは結合的に処理装置に命令したりしてもよい。ソフトウェア及び／またはデータは、処理装置によって解釈されたり処理装置に命令またはデータを提供したりするために、いずれの類型の機械、構成要素、物理的装置、仮想装置（ｖｉｒｔｕａｌ  ｅｑｕｉｐｍｅｎｔ）、コンピュータ保存媒体または装置、または送信される信号波（ｓｉｇｎａｌ  ｗａｖｅ）に永久にまたは一時的に具体化される。ソフトウェアは、ネットワークに接続されたコンピュータシステム上に分散され、分散された方法で保存されたり実行されたりしてもよい。ソフトウェア及びデータは１つ以上のコンピュータで読み出し可能な記録媒体に保存されてもよい。
【０１２１】
本発明の実施形態に係る方法は、多様なコンピュータ手段を介して様々な処理を実行することができるプログラム命令の形態で実現されてもよく、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。
【０１２２】
上述したように、本発明を限定された実施形態と図面によって説明したが、本発明は、上記の実施形態に限定されることなく、本発明が属する技術分野における通常の知識を有する者であれば、このような実施形態から多様な修正及び変形が可能である。
【０１２３】
したがって、本発明の範囲は、開示された実施形態に限定されるものではなく、特許請求の範囲だけではなく特許請求の範囲と均等なものなどによって定められる。
【符号の説明】
【０１２４】
１４０：電子フレーム
４００：カレンダー形式のインタフェース
【図１】
2014038598.tif 000003
【図２】
2014038598.tif 000004
【図３】
2014038598.tif 000005
【図４】
2014038598.tif 000006
【図５】
2014038598.tif 000007